(57)【要約】【課題】  従来の照明装置では、撮影者は、バウンス発光を行う必要があるか否かの難しい判断やバウンス発光を行う際の発光方向の難しい選定をしなければならなかった。【解決手段】  ＣＰＵ４は、サンプル画像Ａ，Ｂをそれぞれ３回取得し、取得した各画像を構成する画素の輝度を平均した画像Ａ’，Ｂ’を算出する（Ｓ１１〜Ｓ１４）。続いて、画像Ａ’を構成する画素の輝度から画像Ｂ’を構成する画素の輝度を引いて得られる差分画像Ｃの各構成画素のうち、閾値を超える高輝度部分を高反射領域２３として特定する（Ｓ１５，Ｓ１６）。この特定した高反射領域２３に属する白画素の総和Ｎを、各領域Ｄ〜Ｆ毎に異なる重み付けをして加算することで、算出する（Ｓ１７）。算出した総和Ｎが一定値以上である場合には、被写界の中に光反射物が存在するものと判定し、ストロボ装置１２をバウンス発光させる（Ｓ１８，Ｓ２０）。【選択図】  図３
2010008717.tif 000002
【特許請求の範囲】
【請求項１】
被写界に光を照射する光照射手段と、
前記被写界を撮像する撮像手段と、
前記光照射手段の光照射時および非照射時に前記撮像手段により撮像される各被写界像の輝度差を算出する輝度差算出手段と、
この輝度差算出手段によって算出された輝度差が予め設定された閾値を超える高反射領域を特定する高反射領域特定手段と、
前記撮像手段により撮像される被写界像の全領域に対する、前記高反射領域特定手段により特定された前記高反射領域の広さの割合が一定値以上である場合、前記撮像手段により撮像される前記被写界の中に光反射物が存在しているものと判定する判定手段と
を備えていることを特徴とする撮影装置。
【請求項２】
前記撮像手段により撮像される前記被写界像を所定の解像度で再生表示する再生表示手段を備え、
前記輝度差算出手段は、前記光照射手段の光照射時および非照射時に前記再生表示手段に再生表示される各前記被写界像の輝度差を算出することを特徴とする請求項１に記載の撮影装置。
【請求項３】
前記輝度差算出手段は、前記光照射手段の複数回の光照射および非照射によって前記輝度差を複数回算出し、
前記高反射領域特定手段は、前記輝度差算出手段によって算出された複数の輝度差の平均値を前記閾値と比較することを特徴とする請求項１または請求項２に記載の撮影装置。
【請求項４】
前記輝度差算出手段は、前記被写界像の領域を複数の領域に区分し、区分した各領域における前記高反射領域の広さに重み付けをすることを特徴とする請求項１から請求項３のいずれか１項に記載の撮影装置。
【請求項５】
前記撮像手段により撮像される前記被写界の中に光反射物が存在しているものと前記判定手段により判定された場合に警告を行う警告手段を備えていることを特徴とする請求項１から請求項４のいずれか１項に記載の撮影装置。
【請求項６】
前記撮像手段により撮像される前記被写界の中に光反射物が存在しているものと前記判定手段により判定された場合に、前記被写界における被写体を照明する照明手段による光の照射方向を変更する照射方向変更手段を備えていることを特徴とする請求項１から請求項４のいずれか１項に記載の撮影装置。
【請求項７】
前記照射方向変更手段は、前記照明手段による光の照射方向を前記高反射領域特定手段によって特定された前記高反射領域から遠ざかる方向に変更することを特徴とする請求項６に記載の撮影装置。
【請求項８】
前記光照射手段は前記照明手段を構成していることを特徴とする請求項６または請求項７に記載の撮影装置。
【発明の詳細な説明】
【技術分野】
【０００１】
本発明は、被写界に光を照射する光照射手段を備えた撮影装置に関するものである。
【背景技術】
【０００２】
従来、このような撮影装置に備えられる光照射手段としては、例えば、下記の特許文献１に開示される、カメラに装着される電子閃光装置がある。この電子閃光装置は、本体部と、この本体部に対して水平方向に回転可能な中間部と、この中間部に対して垂直方向に回転可能な発光部とを備えている。中間部は、本体部に対して左回りまたは右回りにそれぞれ１８０度回転できるようになっており、発光部は、中間部に対して所定範囲で上下に回転できるようになっている。一般的に、鏡面反射の強い被写体を撮影すると、照明装置の光が被写体に強く反射して撮影画像に白とび部分が生じ、撮影者の意図しない写真が撮影されてしまうことがある。しかしながら、照明装置として特許文献１に記載されているような電子閃光装置を用いて、照明装置の光の照射方向を変えるいわゆるバウンス発光を行うことにより、被写体の鏡面反射の強い部分に直接光を照射しないようにして、撮影画像に白とび部分が生じてしまうことを防止することができ、適切な照明効果を得て撮影者の意図する写真を撮影することが可能となる。
【特許文献１】特開２００４−２６４４０３号公報（段落[００１７]，図１参照）
【発明の開示】
【発明が解決しようとする課題】
【０００３】
しかしながら、特許文献１に開示されるような上記従来の照明装置では、バウンス発光を行う際、撮影者は、ファインダーから視認される被写体像や、液晶モニタに表示されるスルー画像と呼ばれる撮影前の被写体像などを確認しながら、バウンス発光を行う必要があるか否かの判断や、バウンス発光を行う際の発光方向の選定をしなければならない。このため、照明装置を用いた撮影に不慣れな初心者にとっては、これら判断および選定をすることが容易なことではなかった。
【課題を解決するための手段】
【０００４】
本発明はこのような課題を解決するためになされたもので、
被写界に光を照射する光照射手段と、
被写界を撮像する撮像手段と、
光照射手段の光照射時および非照射時に撮像手段により撮像される各被写界像の輝度差を算出する輝度差算出手段と、
この輝度差算出手段によって算出された輝度差が予め設定された閾値を超える高反射領域を特定する高反射領域特定手段と、
撮像手段により撮像される被写界像の全領域に対する、高反射領域特定手段により特定された高反射領域の広さの割合が一定値以上である場合、撮像手段により撮像される被写界の中に光反射物が存在しているものと判定する判定手段と
を備えて撮影装置を構成した。
【０００５】
この構成によれば、光照射手段の光照射時および非照射時に撮像手段により撮像される各被写界像の輝度差が輝度差算出手段によって算出され、算出された輝度差が予め設定された閾値を超える高反射領域が高反射領域特定手段によって特定される。特定された高反射領域の広さの、被写界像の全領域に対する割合が一定値以上である場合には、撮像手段により撮像される被写界の中に光反射物が存在しているものと、判定手段により判定される。このため、撮影者は、撮像される被写界の中に、被写界を照明する光をバウンス発光させるべき光反射物が存在するか否かの難しい判断を自ら行わなくても、撮影装置における判定手段の判定結果にしたがって被写界を照明する光をバウンス発光させることにより、被写界に適切な照明を与えられる。したがって、被写界像に高反射領域を発生させることなく、撮影者の意図した被写界像を容易に撮影することができる。
【０００６】
また、本発明は、
撮像手段により撮像される被写界像を所定の解像度で再生表示する再生表示手段を備え、
輝度差算出手段が、光照射手段の光照射時および非照射時に再生表示手段に再生表示される各被写界像の輝度差を算出することを特徴とする。
【０００７】
この構成によれば、光照射手段の光照射時および非照射時における各被写界像の輝度差は、再生表示手段に所定の解像度で再生表示される被写界像に基づいて、輝度差算出手段によって算出される。このため、撮像手段により撮像される解像度が高い被写界像に基づいて輝度差が算出される場合に比べて、再生表示手段に再生表示される解像度が低いスルー画像を用いて、少ないデータ量で輝度差を算出することができる。よって、輝度差算出手段における、輝度差を算出する処理の負担を軽減することができる。
【０００８】
また、本発明は、
輝度差算出手段が、光照射手段の複数回の光照射および非照射によって輝度差を複数回算出し、
高反射領域特定手段が、輝度差算出手段によって算出された複数の輝度差の平均値を閾値と比較することを特徴とする。
【０００９】
この構成によれば、光照射手段の複数回の光照射および非照射によって輝度差が複数回算出され、算出された複数の輝度差の平均値が予め設定された閾値と比較されて高反射領域が特定される。このため、輝度差算出手段によって被写界像の輝度差を算出するため、光照射手段によって被写界に光を照射する際にノイズ光が発生しても、そのノイズ光による輝度差の変動は、輝度差算出手段によって輝度差の平均値をとることによって抑制される。したがって、ノイズ光によって高反射領域特定手段による高反射領域の特定に悪影響が及んでしまうことが防止され、高反射領域を特定する精度が低下してしまうことを抑止できる。
【００１０】
また、本発明は、輝度差算出手段が、被写界像の領域を複数の領域に区分し、区分した各領域における高反射領域の広さに重み付けをすることを特徴とする。
【００１１】
この構成によれば、高反射領域の広さは、輝度差算出手段によって、被写界像の区分した領域に応じて重み付けがされて、算出される。このため、高反射領域が存在すると好ましくない区分領域に大きい重み付けをすることにより、好ましくない区分領域に少しでも高反射領域がかかると、高反射領域の広さは大きく考慮され、判定手段によって被写界の中に光反射物が存在しているものと判定されやすくなる。したがって、高反射領域が、好ましくない区分領域に少しでもある場合には、被写界を照明する光がバウンス発光に切り替えられやすくなり、撮影者がより好ましいと意図する被写界像が撮影できるようになる。
【００１２】
また、本発明は、撮像手段により撮像される被写界の中に光反射物が存在しているものと判定手段により判定された場合に警告を行う警告手段を備えていることを特徴とする。
【００１３】
この構成によれば、撮像手段により撮像される被写界の中に光反射物が存在しているものと判定手段により判定されると、警告手段によって警告が行われる。このため、撮影者は、被写界の中に光反射物が存在しているとの判定手段の判定結果を、警告手段による警告に基づいて確実に把握することが可能になる。したがって、被写界を照明する光をバウンス発光させずに、被写界像に高反射領域が発生してしまうような失敗を確実に防止することができるようになる。
【００１４】
また、本発明は、撮像手段により撮像される被写界の中に光反射物が存在しているものと判定手段により判定された場合に、被写界における被写体を照明する照明手段による光の照射方向を変更する照射方向変更手段を備えていることを特徴とする。
【００１５】
この構成によれば、撮像手段により撮像される被写界の中に光反射物が存在しているものと判定手段により判定されると、被写界における被写体を照明する照明手段による光の照射方向が照射方向変更手段によって自動的に変更される。このため、被写体を照明する照明手段を用いた撮影に不慣れな撮影者であっても、バウンス発光を行う必要があるか否かの判断、およびバウンス発光を行う際の発光方向の選定を間違えることなく確実に行え、撮影時に手間がかからなくなる。
【００１６】
また、本発明は、照射方向変更手段が、照明手段による光の照射方向を高反射領域特定手段によって特定された高反射領域から遠ざかる方向に変更することを特徴とする。
【００１７】
この構成によれば、照明手段による光の照射方向は、照射方向変更手段により、高反射領域特定手段によって特定された高反射領域から遠ざかる方向に変更される。このため、照明手段から被写界の中の光反射物に直接照射される光が減少し、被写界像の高反射領域の発生が効果的に抑えられるようになる。
【００１８】
また、本発明は、光照射手段が照明手段を構成していることを特徴とする。
【００１９】
この構成によれば、光照射手段によって被写界に照射される光によって、この被写界の中の被写体が照明されることになる。このため、光照射手段および照明手段を１つの装置で構成することが可能となり、撮影装置の小型化および低廉化を図ることができる。
【発明の効果】
【００２０】
本発明による撮影装置によれば、上記のように、撮影者は、撮像される被写界の中に、被写界を照明する光をバウンス発光させるべき光反射物が存在するか否かの難しい判断を自ら行わなくても、撮影装置における判定手段の判定結果にしたがって被写界を照明する光をバウンス発光させることにより、被写界に適切な照明を与えられる。したがって、被写界像に高反射領域を発生させることなく、撮影者の意図した被写界像を容易に撮影することができる。
【発明を実施するための最良の形態】
【００２１】
次に、本発明による撮影装置をデジタルカメラに適用した場合における、本発明を実施するための最良の形態について説明する。
【００２２】
図１は、本実施形態によるデジタルカメラの構成を示すブロック図である。
【００２３】
本実施形態におけるデジタルカメラは、光学レンズ系１、撮像素子２、Ａ／Ｄ変換部３、ＣＰＵ（中央演算処理部）４、画像処理部５、バッファメモリ６、液晶モニタ７ならびにＩ／Ｆ部（インターフェース部）８を備えて構成されている。Ａ／Ｄ変換部３、ＣＰＵ４、画像処理部５、バッファメモリ６、液晶モニタ７およびＩ／Ｆ部８は、それぞれバス９に接続されている。また、ＣＰＵ４には、撮影する際に撮影者により押圧操作されるレリーズボタン（シャッターボタン）や、種々の操作に用いられる十字キーなどからなる操作部１０が接続されている。
【００２４】
光学レンズ系１を介して導かれた光は、撮像素子２の受光面２ａ上に被写体の画像を投影する。撮像素子２は、ＣＣＤ（Charge Coupled Device）やＣＭＯＳ（Complementary Metal Oxide Semiconductor）などからなる。光学レンズ系１によってこの撮像素子２の受光面２ａ上に結像した被写体像はアナログの撮像信号に変換され、変換された撮像信号は、Ａ／Ｄ変換部３においてデジタル信号に変換される。撮像素子２は、被写界を撮像する撮像手段を構成している。画像処理部５は、Ａ／Ｄ変換部３でデジタル信号に変換された撮像信号に対して、ホワイトバランス処理やガンマ補正、圧縮処理などの画像処理を行い、撮影された画像の画像データを生成する。画像処理部５によって生成された画像データは、ＣＰＵ４により、バッファメモリ６に格納されると共に、Ｉ／Ｆ部８を介してＳＤカードやコンパクトフラッシュなどの取り外しが自由に行える記録媒体１１に記録される。また、ＣＰＵ４は、記録媒体１１に記録された画像データに基づいて、操作部１０に対する撮影者の操作に従い、撮影画像を液晶モニタ７に表示させる。液晶モニタ７には、例えばＶＧＡ規格に従う６４０ｐｘ（ピクセル）×４８０ｐｘや３２０ｐｘ×２４０ｐｘなどの複数種類の解像度の中から選択される所定の解像度で、撮影画像が再生表示される。液晶モニタ７は、撮像手段により撮像される被写界像を所定の解像度で再生表示する再生表示手段を構成している。
【００２５】
ＣＰＵ４には、発光部１２ａ，調光センサ１２ｂ，および角度変更部１２ｃから構成されるストロボ装置１２が接続されている。ストロボ装置１２は、設定されている発光モードにしたがい、ＣＰＵ４により制御されて、撮影時に発光部１２ａによって被写界に対して照明光を照射する。調光センサ１２ｂは、撮像素子２により撮像される被写界の輝度の測定すなわち測光に用いられ、例えば、発光モードが自動発光モードに設定されている場合には、ＣＰＵ４は、調光センサ１２ｂの測定結果に基づいて、発光部１２ａによる照明光を被写界に発光するか否かを決定する。また、発光部１２ａは、角度変更部１２ｃにより、被写界に対して照射する光の発光方向が、デジタルカメラ本体に対して垂直方向および水平方向に自在に変更される構成になっている。ＣＰＵ４は、発光部１２ａの光照射時および非照射時に撮像素子２により撮像される各被写界像の輝度差、本実施形態では、最も高い輝度を“１００”、最も低い輝度を“０”とした場合において表される光照射時および非照射時の各被写界像の輝度（“０”〜“１００”）の差を算出する輝度差算出手段を構成している。発光部１２ａは、この輝度差を算出するために被写界に光を照射する光照射手段を構成していると共に、被写界における暗い被写体を明るく照明する照明手段をも構成している。
【００２６】
また、ＣＰＵ４は、輝度差算出手段によって算出された輝度差が予め設定された閾値、本実施形態では、“０”〜“１００”の範囲の値として表される輝度差が“８０”を超える高反射領域を特定する高反射領域特定手段を構成している。本実施形態では、輝度差算出手段は、光照射手段の光照射時および非照射時に再生表示手段に再生表示される各被写界像について、上記の輝度差を算出する。また、輝度差算出手段は、光照射手段の複数回、本実施形態では後述するように３回の光照射および非照射によって輝度差を３回算出すると共に、被写界像の領域を複数の領域、本実施形態では後述するように３つの領域Ｄ，Ｅ，Ｆに区分し、区分した各領域における高反射領域の広さに重み付けを行う。高反射領域特定手段は、輝度差算出手段によって算出された複数の輝度差の平均値を上述した閾値と比較する。また、ＣＰＵ４は、撮像素子２により撮像される被写界像の全領域に対する、高反射領域特定手段により特定された高反射領域の広さの割合が一定値、本実施形態では３％以上である場合、撮像素子２により撮像される被写界の中に光反射物が存在しているものと判定する判定手段を構成している。
【００２７】
また、角度変更部１２ｃは、撮像素子２により撮像される被写界の中に光反射物が存在しているものと判定手段により判定された場合に、発光部１２ａによる光の照射方向を変更する照射方向変更手段を構成している。本実施形態では、照射方向変更手段は、発光部１２ａによる光の照射方向を高反射領域特定手段によって特定された高反射領域から遠ざかる方向に変更する。
【００２８】
図２は、本実施形態のデジタルカメラによる撮影の際に、ＣＰＵ４により行われる発光モード決定処理の概略を示す図である。
【００２９】
この発光モード決定処理では、まず、ＣＰＵ４は、調光センサ１２ｂを用いて被写界輝度の測定（測光）を行う（図２，Ｓ１参照）。続いて、ＣＰＵ４は、操作部１０に対する撮影者の操作により、ストロボ装置１２の発光モードが強制発光モードに設定されているか否かを判別する（Ｓ２）。強制発光モードは、調光センサ１２ｂにより測定される被写界輝度に関係なく、撮影時に必ずストロボ装置１２が発光させられるモードである。Ｓ２の判別が“ＮＯ”である場合、ＣＰＵ４は、撮影者の操作により、ストロボ装置１２の発光モードが自動発光モードに設定されているか否かを判別する（Ｓ３）。自動発光モードは、Ｓ１の測光処理により得られた被写界輝度に応じて、ストロボ装置１２の発光の有無が決定されるモードである。Ｓ３の判別が“ＹＥＳ”である場合、ＣＰＵ４は、Ｓ１の測光処理により得られた被写界輝度が、撮影時にストロボ装置１２の発光を必要とするものであるか否かを判別する（Ｓ４）。ストロボ装置１２の発光モードが自動発光モードに設定されておらず、発光を禁止する発光禁止モードに設定されていて、Ｓ３の判別が“ＮＯ”である場合、または、自動発光モードに設定されていて、被写界輝度がストロボ装置１２の発光を必要とせず、Ｓ４の判別が“ＮＯ”である場合、発光モード決定処理は終了する。
【００３０】
また、被写界輝度がストロボ装置１２の発光を必要とするものであって、Ｓ４の判別が“ＹＥＳ”である場合、ＣＰＵ４は、後述するバウンス発光決定処理を行う（Ｓ５）。ストロボ装置１２の発光モードが強制発光モードに設定されていて、Ｓ２の判別が“ＹＥＳ”である場合、または、Ｓ５の処理が終了すると、ＣＰＵ４は、ストロボ装置１２の発光部１２ａを発光させるストロボ発光処理を行う（Ｓ６）。Ｓ６の処理が終了すると、発光モード決定処理は終了する。
【００３１】
図３は、図２のＳ５に示すバウンス発光決定処理の概略を示すフローチャートである。
【００３２】
このバウンス発光決定処理では、まず、ＣＰＵ４は、ストロボ装置１２の発光部１２ａを３０[msec]間ストロボ発光させ、この間に撮像素子２に撮像されて液晶モニタ７に表示される被写界のサンプル画像Ａを取得して、バッファメモリ６に格納する（図３，Ｓ１１参照）。続いて、ＣＰＵ４は、発光部１２ａのストロボ発光を３０[msec]間停止させ、この間に撮像素子２に撮像されて液晶モニタ７に表示される被写界のサンプル画像Ｂを取得して、バッファメモリ６に格納する（Ｓ１２）。続いて、ＣＰＵ４は、サンプル画像Ａ，Ｂをそれぞれ３回取得したか否か、すなわち、Ｓ１１およびＳ１２の処理を３回繰り返したか否かを判別する（Ｓ１３）。この判別が“ＮＯ”である場合、処理はＳ１１に戻り、上述のＳ１１およびＳ１２の処理が繰り返される。
【００３３】
サンプル画像Ａ，Ｂをそれぞれ３回取得してＳ１３の判別が“ＹＥＳ”である場合、ＣＰＵ４は、サンプル画像Ａを構成する各画素について３回取得した輝度の測定結果を平均することにより得られる画像Ａ’、および、サンプル画像Ｂを構成する各画素について３回取得した輝度の測定結果を平均することにより得られる画像Ｂ’をそれぞれ算出する（Ｓ１４）。図４（ａ），（ｂ）は、このＳ１４の処理で算出されてバッファメモリ６に格納された画像Ａ’，Ｂ’を概念的に示す図である。同図（ａ）に示すように、画像Ａ’には、ストロボ装置１２の発光部１２ａからの照射光が光反射物に反射することにより、輝度の高い反射領域２０が生じている。また、同図（ｂ）に示すように、画像Ｂ’には、発光部１２ａから照射光が光反射物に照射されていないため、反射領域は生じていない。
【００３４】
次に、ＣＰＵ４は、画像Ａ’，Ｂ’の差分画像Ｃを算出する（Ｓ１５）。具体的には、ＣＰＵ４は、画像Ａ’を構成する各画素の輝度値から画像Ｂ’を構成する各画素の輝度値を引いた輝度差（Ａ’−Ｂ’）で構成される画像を、図４（ｃ）に示す差分画像Ｃとして算出する。この差分画像Ｃには、同図（ａ）に示す画像Ａ’における反射領域２０と同じ範囲に、相対的に輝度の高い反射領域２１が生じており、この反射領域２１の周囲は、相対的に輝度の低い低輝度領域２２となっている。
【００３５】
次に、ＣＰＵ４は、画素の輝度差（Ａ’−Ｂ’）が“８０”を超える差分画像Ｃの画素を「白」、輝度差が“８０”以下となる差分画像Ｃの画素を「黒」として、差分画像Ｃを二値化した図４（ｄ）に示す画像Ｃ’を算出する（Ｓ１６）。この二値化画像Ｃ’には、上述した反射領域２１の中で輝度差が“８０”を超える一回り小さな領域に、二値化された「白」で表される高反射領域２３が特定されている。
【００３６】
次に、ＣＰＵ４は、二値化画像Ｃ’内の高反射領域２３に属する「白」で表される白画素の数を、予め区分した複数の領域Ｄ〜Ｆ毎に異なる重み付けをした上で加算し、その総和Ｎを算出する（Ｓ１７）。この総和Ｎは、二値化画像Ｃ’内の高反射領域２３の広さに相当している。図５は、図４（ｄ）に示す二値化画像Ｃ’を外周部から中央部に向かって順に３つの領域Ｄ，Ｅ，Ｆに区分した状態を示している。領域Ｆは、二値化画像Ｃ’の全領域の中で、縦方向の長さおよび横方向の長さがそれぞれ６０％の範囲を占める領域を示している。また、領域Ｅは、二値化画像Ｃ’の全領域の中で、縦方向の長さおよび横方向の長さがそれぞれ８０％の範囲を占める領域のうち、領域Ｆを除いた領域を示している。また、領域Ｄは、二値化画像Ｃ’の全領域から、領域Ｅ，Ｆを除いた周辺部の領域を示している。最も外側の領域Ｄに属する白画素には、０．１倍の重み付けがなされる。また、領域Ｄの内側の領域Ｅおよびさらにその内側の領域Ｆに属する白画素には、それぞれ、０．５倍，１倍の重み付けがなされる。したがって、同図に示すように高反射領域２３が領域Ｅおよび領域Ｆにのみ生じている場合には、領域Ｅにおける高反射領域２３に属する白画素に０．５倍、領域Ｆにおける高反射領域２３に属する白画素に１倍の重み付けをし、重み付けをした各領域Ｅ，Ｆの白画素の数を加算することで、差分画像Ｃ’に含まれる白画素の総和Ｎが算出されることになる。
【００３７】
次に、ＣＰＵ４は、Ｓ１７で算出した総和Ｎが、二値化画像Ｃ’を構成する総画素数の３％以上に該当するか否かを判別する（Ｓ１８）。この判別が“ＮＯ”である場合、ＣＰＵ４は、ストロボ装置１２の発光部１２ａを、バウンス発光させない図６（ａ）に示す状態で発光させる（Ｓ１９）。つまり、同図（ａ）に示すように、ストロボ装置１２による照明光の照明方向は変更されず、正面に向けて照明される。一方、Ｓ１８の判別が“ＹＥＳ”である場合、ＣＰＵ４は、角度変更部１２ｃを駆動制御して、ストロボ装置１２の発光部１２ａを、図６（ｂ）に示すように、バウンス発光させる（Ｓ２０）。つまり、同図（ｂ）に示すように、ストロボ装置１２による照明光の照射方向は、角度変更部１２ｃによって例えば天井３０の方向に変更される。Ｓ１９またはＳ２０の処理が終了すると、バウンス発光決定処理は終了する。
【００３８】
このような本実施形態によるデジタルカメラによれば、上述したように、ストロボ装置１２の発光部１２ａの光照射時および非照射時に撮像素子２により撮像されるサンプル画像Ａ，Ｂの輝度差が輝度差算出手段によって算出され（図３，Ｓ１５、図４（ｃ）参照）、算出された輝度差が予め設定された輝度差“８０”を超える高反射領域２３が、高反射領域特定手段によって特定される（図３，Ｓ１６、図４（ｄ）参照）。特定された高反射領域２３の広さの、被写界像の全領域に対する割合が３％以上である場合には、撮像素子２により撮像される被写界の中に光反射物が存在しているものと、判定手段により判定される（図３，Ｓ１８参照）。このため、撮影者は、撮像される被写界の中に、被写界を照明する光をバウンス発光させるべき光反射物が存在するか否かの難しい判断を自ら行わなくても、デジタルカメラにおける判定手段の判定結果にしたがって被写界を照明する光をバウンス発光させることにより（図３，Ｓ２０、図６（ｂ）参照）、被写界に適切な照明を与えられる。したがって、被写界像に高反射領域２３を発生させることなく、撮影者の意図した被写界像を容易に撮影することができる。
【００３９】
また、本実施形態では、ストロボ装置１２の発光部１２ａの光照射時および非照射時におけるサンプル画像Ａ，Ｂの輝度差は、液晶モニタ７に、６４０ｐｘ×４８０ｐｘや３２０ｐｘ×２４０ｐｘといった所定の解像度で再生表示される被写界像に基づいて、輝度差算出手段によって算出される（図３，Ｓ１１，Ｓ１２参照）。このため、撮像素子２により撮像される解像度が高い被写界像に基づいて輝度差が算出される場合に比べて、液晶モニタ７に再生表示される解像度が低いスルー画像を用いて、少ないデータ量で輝度差を算出することができる。よって、輝度差算出手段における、輝度差を算出する処理の負担を軽減することができる。
【００４０】
また、本実施形態では、ストロボ装置１２の３回の光照射および非照射によって輝度差が３回算出され（図３，Ｓ１１〜Ｓ１３参照）、算出された３回の輝度差の平均値が予め設定された閾値と比較されて高反射領域２３が特定される（図３，Ｓ１６参照）。このため、輝度差算出手段によって被写界像の輝度差を算出するため、ストロボ装置１２によって被写界に光を照射する際にノイズ光が発生しても、そのノイズ光による輝度差の変動は、輝度差算出手段によって輝度差の平均値をとることによって抑制される。したがって、ノイズ光によって高反射領域特定手段による高反射領域２３の特定に悪影響が及んでしまうことが防止され、高反射領域２３を特定する精度が低下してしまうことを抑止できる。
【００４１】
また、本実施形態では、高反射領域２３の広さすなわち高反射領域２３に属する白画素の総和Ｎは、輝度差算出手段によって、被写界像の区分した領域Ｄ，Ｅ，Ｆに応じてそれぞれ０．１倍，０．５倍，１倍の重み付けがされて加算され、算出される（図３，Ｓ１７、図５参照）。このため、高反射領域２３が存在すると好ましくない、領域Ｆといった被写体像の中央部の区分領域に大きい重み付けをすることにより、好ましくない区分領域に少しでも高反射領域２３がかかると、高反射領域２３の広さは大きく考慮され、判定手段によって被写界の中に光反射物が存在しているものと判定されやすくなる。したがって、高反射領域２３が、好ましくない区分領域に少しでもある場合には、被写界を照明するストロボ装置１２による光がバウンス発光（図３，Ｓ２０、図６（ｂ）参照）に切り替えられやすくなり、撮影者がより好ましいと意図する被写界像が撮影できるようになる。
【００４２】
また、本実施形態では、撮像素子２により撮像される被写界の中に光反射物が存在しているものと判定手段により判定されると、被写界における被写体を照明するストロボ装置１２による光の照射方向が照射方向変更手段によって自動的に例えば天井３０の方向に変更される（図３，Ｓ２０、図６（ｂ））。このため、光反射物を照明するストロボ装置１２を用いた撮影に不慣れな撮影者であっても、バウンス発光を行う必要があるか否かの判断、およびバウンス発光を行う際の発光方向の選定を間違えることなく確実に行え、撮影時に手間がかからなくなる。
【００４３】
また、本実施形態では、ストロボ装置１２による光の照射方向は、照射方向変更手段により、高反射領域特定手段によって特定された高反射領域２３から遠ざかる方向に変更される。このため、ストロボ装置１２から被写界の中の光反射物に直接照射される光が減少し、被写界像の高反射領域２３の発生が効果的に抑えられるようになる。
【００４４】
また、本実施形態では、ストロボ装置１２によって被写界に照射される光によって輝度差が算出されると共に、この被写界の中の被写体が照明されることになる（図６（ａ），（ｂ）参照）。このため、輝度差を算出するために被写界に光を照射する光照射手段、および被写界における暗い被写体を明るく照明する照明手段を１つの装置で構成することが可能となり、デジタルカメラの小型化および低廉化を図ることができる。
【００４５】
なお、上記実施形態では、ストロボ装置１２の発光部１２ａの光照射時および非照射時におけるサンプル画像Ａ，Ｂの輝度差が、液晶モニタ７に所定の解像度で再生表示される被写界像に基づいて、輝度差算出手段によって算出される場合を説明したが（図３，Ｓ１１，Ｓ１２参照）、本発明はこれに限られるものではない。例えば、ストロボ装置１２の発光部１２ａの光照射時および非照射時におけるサンプル画像Ａ，Ｂの輝度差が、撮像素子２により撮像され、記録媒体１１に記録される被写界像に基づいて算出される構成とすることも可能である。
【００４６】
また、上記実施形態では、サンプル画像Ａ，Ｂに対するサンプリング解像度を高くした状態、すなわち、サンプル画像Ａ，Ｂの全画素について輝度差を算出する場合を説明したが（図３，Ｓ１１〜Ｓ１６参照）、本発明はこれに限られるものではない。例えば、サンプル画像Ａ，Ｂをそれぞれ複数のブロックに分け、各ブロックに属する画素の中から選択される一の画素を代表値とし、各ブロックの代表値について輝度差を算出する構成であっても構わない。この構成によれば、輝度差を算出する際のデータ量を大幅に減少させて、高反射領域２３を特定する際の処理の負担を大幅に軽減することが可能になる。
【００４７】
また、上記実施形態では、撮像素子２により撮像される被写界の中に光反射物が存在しているものと判定手段により判定された場合に、被写界における被写体を照明するストロボ装置１２による光の照射方向が変更される場合を説明したが（図３，Ｓ２０、図６（ｂ）参照）、本発明はこれに限られるものではない。例えば、撮像素子２により撮像される被写界の中に光反射物が存在しているものと判定手段により判定された場合に音声などで警告を行う警告手段を備え、ストロボ装置１２による光の照射方向が変更される代わりに、または、ストロボ装置１２による光の照射方向が変更されると共に、警告手段により警告が行われる構成としてもよい。この構成によれば、撮影者は、被写界の中に光反射物が存在しているとの判定手段の判定結果を、警告手段による警告に基づいて確実に把握することが可能になる。したがって、被写界を照明する光をバウンス発光させずに、被写界像に高反射領域２３が発生してしまうような失敗を確実に防止することができるようになる。
【００４８】
また、上記実施形態では、算出された輝度差が予め設定された閾値である輝度差“８０”を超える領域を高反射領域２３とする場合を説明したが（図３，Ｓ１６参照）、閾値の大きさは適宜変更可能である。また、上記実施形態では、高反射領域２３の広さの割合すなわち白画素の総和Ｎが、被写界像の総画素数の３％を一定値として、この一定値以上であるときに光反射物が存在しているものと判定手段により判定される場合を説明したが（図３，Ｓ１８参照）、この一定値の大きさも適宜変更可能である。
【００４９】
また、上記実施形態では、被写界像を３つの領域Ｄ〜Ｆに区分し、各領域毎に０．１倍，０．５倍，１倍の重み付けをして、高反射領域２３の広さすなわち高反射領域２３に属する白画素の総和Ｎが算出される場合を説明したが（図３，Ｓ１７、図５参照）、本発明はこれに限られるものではない。被写界像を区分する領域の数や区分する各領域の範囲、各領域における重み付けの割合は、適宜変更可能である。
【００５０】
また、上記実施形態では、ストロボ装置１２の光照射時および非照射時に撮像素子２により撮像されて液晶モニタ７に表示されるサンプル画像Ａ，Ｂを３回取得し、３回取得した各サンプル画像Ａ，Ｂの輝度差を平均して得られる画像から差分画像Ｃを算出する場合を説明したが（図３，Ｓ１１〜Ｓ１３参照）、サンプル画像Ａ，Ｂを取得する回数は適宜変更可能である。
【００５１】
また、上記実施形態では、バウンス発光を行う際、ストロボ装置１２による照明光の照射方向が、角度変更部１２ｃによって天井３０の方向に変更される場合を説明したが（図６（ｂ）参照）、ストロボ装置１２による照明光の照射方向は、例えば、水平な左右方向に変更されるものであってもよく、適宜変更することができる。
【００５２】
また、上記実施形態では、ストロボ装置１２が光照射手段および照明手段の両手段を構成している場合を説明したが、光照射手段と照明手段とを別個の装置で構成することも可能である。例えば、照明手段としてストロボ装置１２を使用すると共に、光照射手段として、ストロボ装置１２以外の、ＡＦ（オートフォーカス）処理を行なう際にＡＦ補助光を発するＡＦ補助光装置や、セルフタイマー撮影を行う際にシャッタータイミングを示唆する点滅光を発するセルフタイマーライトといった、デジタルカメラが備えている種々の発光装置を使用することも可能である。また、光照射手段として、光反射物検出用にデジタルカメラに専用の発光部を設けるようにしてもよい。
【００５３】
また、ノイズ光などの影響を少なくして、液晶モニタ７で再生表示されるスルー画のモニタリングを容易にするため、光反射物検出用の発光部から特定の波長の光を照射し、この特定の波長とは異なる波長の光をカットするフィルタを撮像素子２の受光面２ａの手前側に設けるようにしてもよい。例えば、光照射手段から蛍光灯などの可視光とは異なる赤外線を照射する構成とした場合には、赤外線の反射によって高反射領域の特定が行われるため、可視光などによるノイズ光の影響を排除して、高反射領域の特定の精度を向上させることが可能になる。また、上記のような可視光とは異なる波長域の赤外線などの光は、一般的に人間の目には感知されないものであるため、光照射手段から照射される光にこのような可視光とは異なる波長域の光を採用することにより、撮影時に、光照射手段の発光により被撮影者を驚かせてしまうといったことを防止することも可能になる。
【産業上の利用可能性】
【００５４】
上記実施形態においては、本発明をデジタルカメラに適用した場合について説明したが、動画像を撮影するデジタルビデオカメラを静止画像を撮影する撮影装置に用いる場合を始めとして、被写界に光を照射する光照射手段を備えた他の種々の撮影装置に本発明を適用することも可能である。このような装置に本発明を適用した場合においても、上記実施形態と同様な作用効果が奏される。
【図面の簡単な説明】
【００５５】
【図１】本実施形態によるデジタルカメラの構成を示すブロック図である。
【図２】本実施形態のデジタルカメラによる撮影の際に、ＣＰＵにより行われる発光モード決定処理の概略を示す図である。
【図３】図２に示すバウンス発光決定処理の概略を示すフローチャートである。
【図４】図３に示すバウンス発光決定処理が行われる際に、ＣＰＵにより取得されるサンプル画像、差分画像および二値化画像を示す図である。
【図５】図４に示す二値化画像を３つの領域に区分した状態を示す図である。
【図６】ストロボ装置を発光させて撮影が行われる状態を示す図であり、（ａ）は、ストロボ装置をバウンス発光させない場合、（ｂ）は、ストロボ装置をバウンス発光させる場合を示している。
【符号の説明】
【００５６】
１…光学レンズ系
２…撮像素子
３…Ａ／Ｄ変換部
４…ＣＰＵ
５…画像処理部
６…バッファメモリ
７…液晶モニタ
８…Ｉ／Ｆ部
１０…操作部
１２…ストロボ装置
１２ａ…発光部
１２ｂ…調光センサ
１２ｃ…角度変更部
２０，２１…反射領域
２２…低輝度領域
２３…高反射領域
３０…天井
Ｄ，Ｅ，Ｆ…区分した領域
【図１】
2010008717.tif 000003
【図２】
2010008717.tif 000004
【図３】
2010008717.tif 000005
【図４】
2010008717.tif 000006
【図５】
2010008717.tif 000007
【図６】
2010008717.tif 000008